【手続補正書】
【提出日】平成18年10月3日(2006.10.3)
【手続補正１】
【補正対象書類名】明細書
【補正対象項目名】発明の名称
【補正方法】変更
【補正の内容】
【発明の名称】コンピュータ装置
【手続補正２】
【補正対象書類名】明細書
【補正対象項目名】特許請求の範囲
【補正方法】変更
【補正の内容】
【特許請求の範囲】
【請求項１】  テレビ映像を受像するアプリケーションを含む複数のアプリケーションを選択的に実行するコンピュータ装置であって、
前記コンピュータを操作するための汎用入力装置および、少なくとも前記テレビ映像を受像するアプリケーションの操作を行う特定入力装置からの出力信号を受信する受信手段と、前記汎用入力装置と前記コンピュータ装置との接続状態を検出する接続状態判別手段と、前記接続状態判別手段の検出結果に基づいて前記テレビ映像を受像するアプリケーションの制御を切り替える制御手段とを備えたコンピュータ装置。
【請求項２】  前記特定入力装置はテレビリモコンであることを特徴とする請求項１記載のコンピュータ装置。
【請求項３】  前記汎用入力装置は、キーボード又はマウスであることを特徴とする請求項１記載のコンピュータ装置。
【請求項４】  前記制御手段は、前記接続状態判別手段が前記汎用入力装置が接続されたことを検出することにより、前記テレビ映像を受像するアプリケーションを終了させることを特徴とする請求項１に記載のコンピュータ装置。
【請求項５】  前記制御手段は、前記接続状態判別手段が前記汎用入力装置が接続されたことを検出することにより、前記テレビ映像を受像するアプリケーションによる表示画像のサイズを小さくすることを特徴とする請求項１に記載のコンピュータ装置。
【請求項６】  前記制御手段は、電源投入の際に前記接続状態判別手段が前記汎用入力装置の接続を検出しなかったときは前記テレビ映像を受像するアプリケーションを実行することを特徴とする請求項１に記載のコンピュータ装置。
【請求項７】  前記特定入力装置には、テレビ映像を受像するアプリケーションの操作と他のアプリケーションの操作を切り替えるモードスイッチを有し、前記制御手段は当該モードスイッチの切替位置に応じて入力操作に対応してアプリケーションを制御する一方、前記接続状態判別手段が汎用入力装置の接続を検出していない時には、当該モードスイッチの切替位置に拘わらずテレビ映像を受像するアプリケーションを制御することを特徴とする請求項１に記載のコンピュータ装置。
【手続補正３】
【補正対象書類名】明細書
【補正対象項目名】０００６
【補正方法】変更
【補正の内容】
【０００６】
【課題を解決するための手段】
第１の技術手段は、テレビ映像を受像するアプリケーションを含む複数のアプリケーションを選択的に実行するコンピュータ装置であって、
前記コンピュータを操作するための汎用入力装置および、少なくとも前記テレビ映像を受像するアプリケーションの操作を行う特定入力装置からの出力信号を受信する受信手段と、前記汎用入力装置と前記コンピュータ装置との接続状態を検出する接続状態判別手段と、前記接続状態判別手段の検出結果に基づいて前記テレビ映像を受像するアプリケーションの制御を切り替える制御手段とを備えたことを特徴とするものである。
【手続補正４】
【補正対象書類名】明細書
【補正対象項目名】０００７
【補正方法】変更
【補正の内容】
【０００７】
第２の技術手段は、前記第１の技術手段に記載のコンピュータ装置において、前記特定入力装置はテレビリモコンであることを特徴とするものである。
【手続補正５】
【補正対象書類名】明細書
【補正対象項目名】０００８
【補正方法】変更
【補正の内容】
【０００８】
第３の技術手段は、前記第１の技術手段に記載のコンピュータ装置において、前記汎用入力装置は、キーボード又はマウスであることを特徴とするものである。
【手続補正６】
【補正対象書類名】明細書
【補正対象項目名】０００９
【補正方法】変更
【補正の内容】
【０００９】
第４の技術手段は、前記第１の技術手段に記載のコンピュータ装置において、前記制御手段は、前記接続状態判別手段が前記汎用入力装置が接続されたことを検出することにより、前記テレビ映像を受像するアプリケーションを終了させることを特徴とするものである。
【手続補正７】
【補正対象書類名】明細書
【補正対象項目名】００１０
【補正方法】変更
【補正の内容】
【００１０】
第５の技術手段は、前記第１の技術手段に記載のコンピュータ装置において、前記制御手段は、前記接続状態判別手段が前記汎用入力装置が接続されたことを検出することにより、前記テレビ映像を受像するアプリケーションによる表示画像のサイズを小さくすることを特徴とするものである。
【手続補正８】
【補正対象書類名】明細書
【補正対象項目名】００１１
【補正方法】変更
【補正の内容】
【００１１】
第６の技術手段は、前記第１の技術手段に記載のコンピュータ装置において、前記制御手段は、電源投入の際に前記接続状態判別手段が前記汎用入力装置の接続を検出しなかったときは前記テレビ映像を受像するアプリケーションを実行することを特徴とするものである。
【手続補正９】
【補正対象書類名】明細書
【補正対象項目名】００１２
【補正方法】変更
【補正の内容】
【００１２】
第７の技術手段は、前記第１の技術手段に記載のコンピュータ装置において、前記特定入力装置には、テレビ映像を受像するアプリケーションの操作と他のアプリケーションの操作を切り替えるモードスイッチを有し、前記制御手段は当該モードスイッチの切替位置に応じて入力操作に対応してアプリケーションを制御する一方、前記接続状態判別手段が汎用入力装置の接続を検出していない時には、当該モードスイッチの切替位置に拘わらずテレビ映像を受像するアプリケーションを制御することを特徴とするものである。
【手続補正１０】
【補正対象書類名】明細書
【補正対象項目名】００１３
【補正方法】変更
【補正の内容】
【００１３】
【発明の実施の形態】
（実施例１）
本発明の第１の実施例は、アンテナより送られてきた信号をデコードするためのチューナと、該チューナを操作して選局し、その映像をパソコンの表示装置に伝送するためのテレビ映像表示制御部と、テレビ映像表示制御部から送られたテレビの映像および一般のアプリケーションの画像を表示するための表示装置と、プログラムやデータを保存するための二次記憶装置と、テレビ映像表示制御部および一般のアプリケーションを制御する制御手段と、専用赤外線リモコンからの赤外線信号を受信するための赤外線受光部と、テレビ映像表示制御部および一般のアプリケーションから出力された音声信号を音声として出力するためのスピーカと、利用者がキー入力をするためのキーボードと、キーボードがパソコン本体に接続されているか否かを判別するためのキーボード接続状態判別手段と、利用者がパソコン本体を遠隔操作するための赤外線リモコン等とから構成される。
【手続補正１１】
【補正対象書類名】明細書
【補正対象項目名】００１５
【補正方法】変更
【補正の内容】
【００１５】
図１は、本発明が適用されるパソコン及びリモコンの外観図で、図１（Ａ）はパソコン本体で、該パソコン本体１００は、表示装置１、電源スイッチ２、赤外線受光部３、キーボードケーブル用コネクタ４等を具備し、該コネクタ４にはキーボード１０からのケーブル１１が接続されている、図１（Ｂ）は、リモコンの外観図で、該リモコン２００は、操作用ボタン２１０（２０１〜２０６）、赤外線発光部２１１、モード切り替えスイッチ２１２とから構成されている。
【手続補正１２】
【補正対象書類名】明細書
【補正対象項目名】００１７
【補正方法】変更
【補正の内容】
【００１７】
図３は、本発明を実現するためのパソコンの制御手段１０３の動作フロー図である。今、パソコン本体１００の電源が入ると、処理Ｓ１でキーボード接続状態判別手段１１０からキーボード１０の接続状態を入力し、処理Ｓ２でキーボード１０が接続されているか否かを判定し、ＮＯ即ちキーボード１０が接続されていない場合は、処理Ｓ３でテレビ映像表示制御部１０２を起動し、表示装置１０５の全面にテレビ映像を映し出す。その後は、キーボード接続状態の監視と、リモコンからのキーコードの処理を繰り返して行う。
【手続補正１３】
【補正対象書類名】明細書
【補正対象項目名】００１９
【補正方法】変更
【補正の内容】
【００１９】
処理Ｓ５においてＹＥＳの場合、すなわち、キーボード１０が接続されたと判別した場合は、処理Ｓ１０へ遷移する。処理Ｓ１０では、テレビ映像表示制御部１０２は動作中か否かを判別し、動作中の場合のみ処理Ｓ１１でテレビ映像表示制御部１０２の動作を終了させ、表示装置１０５からテレビ映像を消す。処理Ｓ３においてテレビ映像表示制御部１０２を起動しているにもかかわらず、処理Ｓ１０でテレビ映像表示制御部１０２が動作中か否かを確認しているのは、使用者の操作によりテレビ映像表制御部１０２を起動及び終了させることができるので、処理Ｓ１０の時点でテレビ映像表示制御部１０２が既に終了している可能性もあるからである。続いて、処理Ｓ１２に遷移し、キーボード接続状態の監視とリモコンから受け取ったキーコードの処理を繰り返す。この繰り返し部分、即ち、処理Ｓ１２から処理Ｓ１６は、キーボード１０が接続されていないときに実行されるのと同様の処理部分、即ち、処理Ｓ４から処理Ｓ９の部分とほぼ同じであるが、大きく異なるのは、処理Ｓ７で行っていたキーコードの変換処理を行わないことである。つまり、リモコン２００のモード切り替えスイッチ２１２の設定に応じた動作をする。具体的には、処理Ｓ１２でキーボード接続状態判別手段１１０からキーボード１０の接続状態を入力し、処理Ｓ１３でキーボード１０が接続されているか否かを判別し、ＹＥＳ即ちキーボード１０が接続されたままなら、処理Ｓ１４へ遷移する。処理Ｓ１４では、リモコン２００からキーコードを受け取ったかどうかを判別し、ＹＥＳ即ちキーコードを受け取っているなら処理Ｓ１５でキーコード／処理内容対応テーブル１０９を参照してリモコン２００から受け取ったキーコードに対応する処理の操作対象と処理内容を得て、処理Ｓ１６で該処理を実行し、処理Ｓ１４へ戻る。
【手続補正１４】
【補正対象書類名】明細書
【補正対象項目名】００２０
【補正方法】変更
【補正の内容】
【００２０】
処理Ｓ１３でＮＯの場合即ちキーボード１０が外されたと判断した場合は、図４の処理Ｓ１７へ遷移する。処理Ｓ１７ではテレビ映像表示制御部１０２が動作中か否かを判別し、ＮＯ即ち動作中でない場合のみ処理Ｓ１８でテレビ映像表示制御部１０２を起動し、テレビ映像を表示装置１０５の全面に表示する。この時、一般のアプリケーション１０６が起動中であればその画像はテレビ映像の下に隠れた状態になり、表示装置１０５上に見えなくなる。その後、処理Ｓ４へ遷移する。
【手続補正１５】
【補正対象書類名】明細書
【補正対象項目名】００２７
【補正方法】変更
【補正の内容】
【００２７】
図８，図９は、パソコンの制御手段の別の制御動作のフローで、図３，図４に示したフローと比べて処理Ｓ３８が異なり、処理Ｓ３９が追加されている。即ち、キーボード１０が接続されていない状態でパソコンを使用中にキーボード１０が接続され、その時にテレビ映像表示制御部１０２が動作中であれば処理Ｓ３１でテレビ映像を小さいウィンドウ表示に変更し、同時に他のアプリケーションの画像も見られる状態にする。また、逆に、キーボード１０が接続されている状態で使用中に、キーボード１０が外されたことを検出した場合は、処理Ｓ３７でテレビ映像表示制御部１０２が動作中か否かを判別し、ＮＯ即ち動作していなければ処理Ｓ３８でテレビ映像表示制御部１０２を起動し、テレビ映像を全画面表示する。処理Ｓ３７の判別でＹＥＳ即ちテレビ映像表示制御部１０２が動作中であればテレビ映像を全画面表示状態にし、一般のアプリケーション１０６の画像は一時的に表示装置１０５上に表示されない状態にする。
【手続補正１６】
【補正対象書類名】明細書
【補正対象項目名】００２８
【補正方法】変更
【補正の内容】
【００２８】
前述のキーボードとパーソナルコンピュータ本体との接続状態を検知する代わりに、マウス等のポインティングデバイスとパーソナルコンピュータ本体との接続状態を検知してテレビアプリの操作や、リモコンの設定変更を行うようにすることができる。
【手続補正１７】
【補正対象書類名】明細書
【補正対象項目名】００２９
【補正方法】変更
【補正の内容】
【００２９】
本発明は、アンテナ２０、チューナ１０１を介して受信したテレビ映像の受像と共にネットワークを通じて配信されるテレビ映像を受像することもできる。この場合、テレビ映像表示制御部を特定のアプリケーションに置き換え、テレビ映像の表示を該特定アプリケーションが表示する画像に置き換え、リモコンのモード切り替えスイッチの「ＴＶ」の表示を該特定アプリケーションを指す表示に置き換え、図７のキーコード→処理内容対応テーブルにおいて、キーコード１０１〜１０６に対応する操作対象を該特定アプリケーションに置き換え、また処理内容を該特定アプリケーションに関する処理内容に置き換えることで実現できる。
【手続補正１８】
【補正対象書類名】明細書
【補正対象項目名】００３８
【補正方法】変更
【補正の内容】
【００３８】
図１３は、マウス接続状態判別部１２４のフローを示す図で、本モジュールは、システム初期化部１２１の初期化処理時に起動され、電源遮断まで、実行を続けるモジュールで、まず、マウス入力情報に対して赤外線受光部１２５より通知されるマウスからの信号をモニタリングすることでマウスの接続／未接続状態、および、マウス移動量情報の管理（入力情報処理部１２３への通知）を実施する。本処理部１２４では、あらかじめ既定された時間内に、マウスよりのデータ送信有無をモニタリングすることで、未接続状態か否かを判定しており、マウス側は、入力（マウス移動）がなかった場合も、必ず、一定時間間隔（当然、本ルーチンの既定時間より短い間隔）で、マウスＩＤ情報（信号ｂ０）を送信するものとしており、詳細には、本方法以外にもさまざまな未接続チェック方法があるが、無線通信媒体の場合には、通信プロトコル処理にて実施する。